(57)【特許請求の範囲】
【請求項１】
スプレーノズルを有する過熱低減器の後流側に直管配管と曲管配管が接続され、上記直管配管内に一端が固定されかつ他端が移動可能な第１の保護筒が設けられた配管の保護構造において、上記曲管配管内に一端が上記曲管配管の上流側端の曲げ中間点に固定ピンにより固定されかつ他端が複数のスライドサポートにより移動可能に支持された第２の保護筒を設け、上記第１の保護筒の後流側端部に小径部を設け、上記小径部の外側に上記第２の保護筒の上流側端部を位置させたことを特徴とする配管の保護構造。
【請求項２】
上記第１の保護筒の後流側端部に上記小径部を有する継ぎピースを取り付けたことを特徴とする請求項１に記載の配管の保護構造。
【発明の詳細な説明】
【０００１】
【産業上の利用分野】
この発明は配管の内側に保護筒が設けられた配管の保護構造、例えば過熱低減器の後流側に接続された配管の保護構造に関するものである。
【０００２】
【従来の技術】
図４は従来の過熱低減器の後流側に接続された配管の保護構造を示す概略図、図５は図４に示した配管の保護構造の一部を示す断面図、図６は図４に示した配管の保護構造の一部を示す断面図、図７は図４に示した配管の保護構造の一部を示す断面図である。図に示すように、スプレーノズル４を有する過熱低減器１の後流側に直管配管２が突合せ溶接により接続され、過熱低減器１、直管配管２内に保護筒５ａ、５ｂが設けられ、保護筒５ａ、５ｂは突合せ溶接により接続され、過熱低減器１の内面に取付板１０が溶接によって取り付けられ、取付板１０に固定ピン８が溶接によって取り付けられ、固定ピン８は保護筒５ａに設けられた孔を貫通し、保護筒５ａの孔部に補強板９が溶接によって取り付けられ、固定ピン８は補強板９に設けられた孔を貫通している。また、保護筒５ｂの内面に補強板１２が溶接によって取り付けられ、保護筒５ｂ、補強板１２に設けられた孔内にスライドサポート１１が溶接によって取り付けられ、スライドサポート１１の先端面は直管配管２の内面と当接している。また、保護筒５端部近傍の直管配管２の内面にストッパ１３が設けられている。
【０００３】
この配管の保護構造においては、スプレーノズル４からスプレー水が注されても、保護筒５ａ、５ｂによって過熱低減器１、直管配管２にスプレー水による熱衝撃が発生するのを防止することができる。
【０００４】
また、実公平４−１２３２８号公報に示されるように、過熱低減器の後流側の曲管配管を保護することが行なわれているが、この場合には図１〜図４で説明した保護構造と同様の構造によって、すなわち保護筒５の端部に曲管配管の保護筒を溶接によって取り付けることにより、曲管配管を保護することが考えられる。
【０００５】
【発明が解決しようとする課題】
しかし、図１〜図４で説明した保護構造と同様の構造によって過熱低減器の後流側の曲管配管を保護したときには、配管と保護筒との伸び差が発生したとしても、保護筒のスライドが不可能になるので、保護筒に熱応力が発生し、またスプレーノズルからスプレー水が注入された場合、曲管配管部ではスプレー水は遠心力により保護筒の外周方向に片寄るから、保護筒の内外周での温度差が生じ、保護筒に曲げが発生するが、保護筒が拘束されているから、保護筒に熱応力が発生する。
【０００６】
この発明は上述の課題を解決するためになされたもので、曲管配管を保護することができ、かつ保護筒に熱応力が発生することがない配管の保護構造を提供することを目的とする。
【０００７】
【課題を解決するための手段】
この目的を達成するため、この発明においては、スプレーノズルを有する過熱低減器の後流側に直管配管と曲管配管が接続され、上記直管配管内に一端が固定されかつ他端が移動可能な第１の保護筒が設けられた配管の保護構造において、上記曲管配管内に一端が上記曲管配管の上流側端の曲げ中間点に固定ピンにより固定されかつ他端が複数のスライドサポートにより移動可能に支持された第２の保護筒を設け、上記第１の保護筒の後流側端部に小径部を設け、上記小径部の外側に上記第２の保護筒の上流側端部を位置させる。
【０００８】
この場合、上記第１の保護筒の後流側端部に上記小径部を有する継ぎピースを取り付ける。
【００１０】
【作用】
この配管の保護構造においては、直管配管と第１の保護筒との伸び差が発生したとしても、第１の保護筒のスライドが可能になる。
【００１１】
また、第１の保護筒の後流側端部に小径部を有する継ぎピースを取り付けたときには、第１の保護筒の後流側端部に容易に小径部を設けることができる。
【００１２】
また、直管配管を過熱低減器の後流側に接続したときには、スプレーノズルからスプレー水が注入され、第２の保護筒の内外周での温度差が生じ、第２の保護筒に曲げが発生したとしても、第２の保護筒に熱応力が発生することがない。
【００１３】
【実施例】
図１はこの発明に係る配管の保護構造を示す概略図、図２は図１に示した配管の保護構造の一部を示す断面図である。図に示すように、過熱低減器１の後流側に直管配管２ａが突合せ溶接によって接続され、直管配管２ａの後流側に曲管配管３が突合せ溶接によって接続され、曲管配管３の後流側に直管配管２ｂが突合せ溶接によって接続され、直管配管２ａ、２ｂ内に一端が固定ピン８によって固定されかつ他端がスライドサポート１１によって移動可能に支持された第１の保護筒５ｂ、保護筒５ｃが設けられ、曲管配管３内に一端が曲管配管３の上流側端内の曲げ中間点（外周と内周との中間部、すなわち曲管配管３の曲げ中心点を通りかつ曲管配管３の中心線を含む面と直角な線を中心線とし、しかも半径が上記曲げ中心点から曲管配管３の中心線までの距離である円筒が、曲管配管３と交わる部分）に固定ピン８によって固定されかつ他端が複数のスライドサポート１１によって移動可能に支持された第２の保護筒６が設けられ、保護筒５ｂの後流側端部にレジュース状に加工されて小径部を有する継ぎピース７ａが突合せ溶接によって取り付けられ、継ぎピース７ａの小径部の外側に保護筒６の上流側端部が位置し、保護筒６の後流側端部に小径部を有する継ぎピース７ｂが突合せ溶接によって取り付けられ、継ぎピース７ｂの小径部の外側に保護筒５ｃの上流側端部が位置している。
【００１４】
この配管の保護構造においては、直管配管２ａと保護筒５ｂとの伸び差が発生したとしても、保護筒５ｂのスライドが可能になるから、保護筒５ｂに熱応力が発生することがないので、保護筒５ｂが損傷することがない。また、保護筒５ｂ、６の後流側端部に小径部を有する継ぎピース７ａ、７ｂを取り付けたときには、保護筒５ｂ、６の後流側端部に容易に小径部を設けることができるから、、製造コストが安価になり、しかも継ぎピース７ａ、７ｂは機械加工によって製作されるから、各継ぎピース７ａ、７ｂを接続すべき保護筒５ｂ、６の接続部の寸法に合わせて加工すれば、保護筒５ｂ、６の後流側端部に継ぎピース７ａ、７ｂを容易に取り付けることができ、しかも継ぎピース７ａ、７ｂの隙間寸法ａ、挿入長さｂを正確にすることができる。また、スプレーノズル４からスプレー水が注入され、保護筒６の内外周での温度差が生じ、保護筒６に曲げが発生したとしても、保護筒６に熱応力が発生することがないから、保護筒６が損傷することがない。また、曲管配管３と保護筒６との伸び差が発生したとしても、保護筒６のスライドが可能になるから、保護筒６に熱応力が発生することがないので、保護筒６が損傷することがない。また、仮に保護筒５ｂ、６の端部を突合せ溶接によって接続したときには、保護筒５ｂが鋼板製である場合には、保護筒５ｂが薄肉となり、接続部開先合わせが非常に困難であるから、製造が面倒であるのに対して、図１、図２に示した配管の保護構造においては、保護筒５ｂ、６の端部を突合せ溶接によって接続しないから、保護筒５ｂが鋼板製である場合にも、製造が非常に容易である。
【００１５】
図３はこの発明に係る他の配管の保護構造を示す概略図である。図に示すように、直管配管２ａの後流側に曲管配管３ａが突合せ溶接によって接続され、曲管配管３ａの後流側に曲管配管３ｂが突合せ溶接によって接続され、曲管配管３ｂの後流側に直管配管２ｂが突合せ溶接によって接続され、直管配管２ａ、２ｂ内に一端が固定ピン８によって固定されかつ他端がスライドサポート１１によって移動可能に支持された第１の保護筒５ｂ、保護筒５ｃが設けられ、曲管配管３ａ、３ｂ内に一端が固定ピン８によって固定されかつ他端がスライドサポート１１によって移動可能に支持された第２の保護筒６ａ、保護筒６ｂが設けられ、保護筒５ｂの後流側端部に小径部を有する継ぎピース７ａが突合せ溶接によって取り付けられ、継ぎピース７ａの小径部の外側に保護筒６ａの上流側端部が位置し、保護筒６ａの後流側端部に小径部を有する継ぎピース７ｂが突合せ溶接によって取り付けられ、継ぎピース７ｂの小径部の外側に保護筒６ｂの上流側端部が位置し、保護筒６ｂの後流側端部に小径部を有する継ぎピース７ｃが突合せ溶接によって取り付けられ、継ぎピース７ｃの小径部の外側に保護筒５ｃの上流側端部が位置している。
【００１６】
この配管の保護構造においては、曲管配管３ａ、３ｂと保護筒６ａ、６ｂとの伸び差が発生したとしても、保護筒６ａ、６ｂのスライドが可能になるから、保護筒６ａ、６ｂに熱応力が発生することがないので、保護筒６ａ、６ｂが損傷することがない。
【００１７】
【発明の効果】
以上説明したように、この発明に係る配管の保護構造においては、直管配管と第１の保護筒との伸び差が発生したとしても、第１の保護筒のスライドが可能になるから、第１の保護筒に熱応力が発生することがないので、第１の保護筒が損傷することがない。
【００１８】
また、第１の保護筒の後流側端部に小径部を有する継ぎピースを取り付けたときには、第１の保護筒の後流側端部に容易に小径部を設けることができるから、製造コストが安価になる。
【００１９】
また、直管配管を過熱低減器の後流側に接続したときには、スプレーノズルからスプレー水が注入され、第２の保護筒の内外周での温度差が生じ、第２の保護筒に曲げが発生したとしても、第２の保護筒に熱応力が発生することがないから、第２の保護筒が損傷することがない。
【図面の簡単な説明】
【図１】この発明に係る配管の保護構造を示す概略図である。
【図２】図１に示した配管の保護構造の一部を示す断面図である。
【図３】この発明に係る他の配管の保護構造を示す概略図である。
【図４】従来の配管の保護構造を示す概略図である。
【図５】図４に示した配管の保護構造の一部を示す断面図である。
【図６】図４に示した配管の保護構造の一部を示す断面図である。
【図７】図４に示した配管の保護構造の一部を示す断面図である。
【符号の説明】
１…過熱低減器
２ａ…直管配管
３、３ａ…曲管配管
５ｂ…第１の保護筒
６、６ａ…第２の保護筒
【図１】
0003599769.tif 000002
【図２】
0003599769.tif 000003
【図３】
0003599769.tif 000004
【図４】
0003599769.tif 000005
【図５】
0003599769.tif 000006
【図６】
0003599769.tif 000007
【図７】
0003599769.tif 000008